(57)【要約】【課題】            商品の購入や施設の入場等に際して、年齢確認を要する場合、その年齢を確認させるための手段としてカードを用いるシステムにあって、そのカードは通常専用のものに限定されるが、汎用され、生年月日情報が記載されている住基カードの真贋判定を適確に行ない有効に使用するものがなかったという点である。【解決手段】        年齢の識別認識システムは年齢の識別認識システムの使用するカードとして、住民基本台帳カードあるいは年齢情報を書き込んだ二次元コードを併用したＲＦＩＤ方式カードのうち一つ以上であることとし、まず二次元コードで本人の生年月日を読み取り、これをトリガー信号としてＲＦＩＤに独立して記録されている生年月日情報を確認し、二つのデータが一致した時にカードが本物であると判定することとする。【選択図】          図２
2010123089.tif 000002
【特許請求の範囲】
【請求項１】
年齢の識別認識システムの使用するカードとして、住民基本台帳カードあるいは年齢情報を書き込んだ二次元コードを併用したＲＦＩＤ方式カードのうち一つ以上であることとし、まず二次元コードで本人の生年月日を読み取り、これをトリガー信号としてＲＦＩＤに独立して記録されている生年月日情報を確認し、二つのデータが一致した時にカードが本物であると判定することを特徴とする年齢の識別認識システム。
【請求項２】
カードでの年齢識別部は、カードの挿入、排出を行なう機構を有し、そのカードの挿入、排出を行なう機構のほか、イメージセンサー部、ＲＦＩＤ読取部、光学センサー部、表示部をＣＰＵと接続してあることを特徴とする請求項１に記載の年齢の識別認識システム。
【請求項３】
前記したカードでの年齢識別部にカードを挿入した場合、ローディング完了時点でカードの手前側端縁が一部露呈状態で停止されることを特徴とする請求項１または請求項２に記載の年齢の識別認識システム。
【請求項４】
前記した年齢情報を書き込んだ二次元コードを併用したＲＦＩＤ方式カードは書き換え可能と書き換え不能の二種類が用意されることを特徴とする請求項１、請求項２または請求項３に記載の年齢の識別認識システム。
【請求項５】
前記した年齢情報を書き込んだ二次元コードを併用したＲＦＩＤ方式カードの場合、年齢識別部に挿入後に、まず該カードの処理可能もしくは不可能の判定がなされ、不可能な場合ＮＧとされることを特徴とする請求項４に記載の年齢の識別認識システム。
【発明の詳細な説明】
【技術分野】
【０００１】
本発明は年齢の識別認識システムに関し、特に購入に年齢制限のあるタバコやアルコール飲料、成人確認、ＤＶＤ等の自動販売機や年齢に制限がある施設への入場扉等を顧客の年齢が適応しているか否かを判定し、自動的に制御して作動させるための年齢の識別認識システムに関する。
【背景技術】
【０００２】
上記した年齢を確認して自動販売機を作動させるシステムとして、近時ではタスポ（商標名、社団法人日本たばこ協会、以下、専用カードと称する）を採用したタバコの自動販売システムが知られている。このシステムは必要な貨幣を投入後、欲する銘柄のタバコボタンを押した後に、専用のカードを認識部にタッチさせることで装置が動作してタバコが放出される。そして、この専用カードは貸与が禁止された個人限定のものとなっている。
【０００３】
現在は、この専用カードの使用のほかにも、運転免許証を読み取り口に挿入し、年齢を読み取らせた上で上記のようにタバコの購入が出来るシステムも実施されている。
【０００４】
ここで、前記した専用のカードを入手するために、格別の手続が必要となって繁雑であり、年齢をクリアしている喫煙者でも所得していないケースも多い。また、運転免許証の場合は所有していないことも多く、自動販売機を利用できず、対面販売による購入しか方法がなくなってしまう。
【０００５】
このような現状にあっては、全国に多数存在している自動販売機の有効利用が阻害され、活性化する必要性があり、対面販売のみでは時間帯によっては購入が不可能となってしまう不便性もある。
【特許文献１】出願人は本願発明に関し、先行する技術文献を調査したが、格別に本願発明と類似するような文献を発見することは出来なかった。
【発明の開示】
【発明が解決しようとする課題】
【０００６】
本発明が解決しようとする問題点は商品の購入や施設の入場等に際して、年齢確認を要する場合、その年齢を確認させるための手段としてカードを用いるシステムにあって、そのカードは通常専用のものに限定されるが、汎用され、生年月日情報が記載されている住基カードの真贋判定を適確に行ない有効に使用するものがなかったという点である。
【課題を解決するための手段】
【０００７】
上記した問題点を解決するために、本発明に係る年齢の識別認識システムは年齢の識別認識システムの使用するカードとして、住民基本台帳カードあるいは年齢情報を書き込んだ二次元コードを併用したＲＦＩＤ方式カードのうち一つ以上であることとし、まず二次元コードで本人の生年月日を読み取り、これをトリガー信号としてＲＦＩＤに独立して記録されている生年月日情報を確認し、二つのデータが一致した時にカードが本物であると判定することを特徴としている。
【０００８】
また、本発明に係る年齢の識別認識システムはカードでの年齢識別部は、カードの挿入、排出を行なう機構を有し、そのカードの挿入、排出を行なう機構のほか、イメージセンサー部、ＲＦＩＤ読取部、光学センサー部、表示部をＣＰＵと接続してあることを特徴としている。
【０００９】
さらに、本発明に係る年齢の識別認識システムは前記したカードでの年齢識別部にカードを挿入した場合、ローディング完了時点でカードの手前側端縁が一部露呈状態で停止されることを特徴としている。
【００１０】
そして、本発明に係る年齢の識別認識システムは前記した年齢情報を書き込んだ二次元コードを併用したＲＦＩＤ方式カードは書き換え可能と書き換え不能の二種類が用意されることを特徴としている。
【００１１】
また、本発明に係る年齢の識別認識システムは前記した年齢情報を書き込んだ二次元コードを併用したＲＦＩＤ方式カードの場合、年齢識別部に挿入後に、まず該カードの処理可能もしくは不可能の判定がなされ、不可能な場合ＮＧとされることを特徴としている。
【発明の効果】
【００１２】
本発明に係る年齢の識別認識システムは上記のように構成されている。そのため、住基カード等を使用するシステムにあって、カードの識別部を利用することで、二次元コードの専有エリアに書かれた年齢情報を、二重のチェックが可能となり、精度良く正確な年齢判定が行え、商品の購入や入場扉の開放をクリアしたものに対してのみ得ることが可能となり、係る自動販売機等が有効に活性して利用されるほか、利用者にとっても非常に便利なシステムとなる。
【発明を実施するための最良の形態】
【００１３】
図面として示し、実施例で説明したように構成したことで実現した。
【実施例１】
【００１４】
次に、本発明の好ましい実施の一例をタバコの自動販売機に搭載した場合を例として図面を参照して説明する。図１は年齢識別部のブロック図、図２は同じく本発明に係るシステムの作動手順を示すフローチャート図である。
【００１５】
年齢識別部はカードをローディングし、排出する機構のものとされ、ここで使用されるカードは、年齢情報が書き込まれた二次元コードとＲＦＩＤ部を併用した住民基本台帳カード（以下、住基カードという）及び、運転免許証その他第三のカードが想定される。また、ここで、住基カードに設けられる二次元コードは、縦横の寸法を７ｍｍ±２ｍｍの正方形以内とし、該カードのコーナーからその記載エリアが約２ｍｍ±１ｍｍ離してあることとし、装置の読み取りセンサーと対応させる。ＲＦＩＤ部には既存のデータのほかに、独立して端部に年齢情報が付加され、本発明では既存データは一切使用することなく、この新規な独立した年齢情報のみを使用する。
【００１６】
年齢識別部は図１に示すように前記したローディング機構によって引き込まれた運転免許証や住基カード等のカード読み取り装置５を有している。このカード読み取り装置５はＣＰＵ部６を有し、このＣＰＵ部６にカード搬送部７、光学センサー部８、表示部９、そして二次元コードを読み取るイメージセンサー部１０、内部に含まれる電子情報を読み取るＲＦＩＤ部１１、そしてブザー１２が接続された構成となっている。
【００１７】
かかる構成とした年齢の識別認識の手順を図２に基いて説明すると、自動販売機等で商品を購入するに先立って、カード認識部へ使用する例えば住基カードを挿入すると、まずこれがＲＦＩＤカードか否かのチェックがなされる。ここでＲＦＩＤカードでないと判定されるとＮＧとなる。
【００１８】
ＲＦＩＤカードの場合、住基カードか否かのチェックを行なう。否の場合は運転免許証か否かのチェックがなされ、運転免許証ならば、それに対した処理がなされる。否の場合にはその他のカードか否かのチェックがなされる。
【００１９】
住基カードの場合、まず、所定の位置にある二次元コードを読み取り、ここに生年月日データがあるか否かのチェックがなされる。ない場合はＮＧとなる。ここで、生年月日データがトリガーとなってＲＦＩＤ内に独立して記録されている生年月日情報を読み出す。この生年月日情報がない場合ＮＧとなる。ＲＦＩＤ内の生年月日データが読み出され、このデータが二次元コードの生年月日データと一致した場合、カレンダー機能へ移り、年齢がクリアしているか否かがチェックされる。
【００２０】
次いで、図１として示すブロックでの住基カードの読み取り処理を図２によって説明する。まず、前記した構成の住基カードや運転免許証あるいは第三のカードを年齢識別部の挿入口へ挿入すると、光学センサー部８、イメージセンサー１０によって挿入されたカードからデータが取り込まれる。取り込まれた二次元コードのデータをデコードして、トリガー信号を出す。次いで、ＲＦＩＤ・ＰＵＰＩを読み込み、生年月日データが一致するとカレンダー機能で年齢を計算する。前記したＲＦＩＤからの読み込みがＮＧとなると光学センサー部８のリミットを従来の運転免許証対応のものにし、トリガー信号の認識でＮＧとなると、光学センサー部８のリミットをＩＣ免許証対応のものとする。
【００２１】
トリガー信号が認識されると住基カードのＲＦＩＤから、前記したように独立した位置に記録された年齢情報のみを用いて（既設データは使用せずに）生年月日を読み出す。即ち、前記した二次元コードによる読み取りが処理のトリガーとなる。これが一致すると、カレンダー機能によって年齢を計算し、年齢がクリアされているか否かを判定し、クリアしていればＯＫ判定となる。クリアされていないとＮＧ判定となる。
【００２２】
また、前記した運転免許証の判定処理になると、次いで真贋の判定をしてＯＫとなると生年月日を認識して前記カレンダー機能による計算へと移行する。
【００２３】
ここで、真贋判定、生年月日認識、これは住基カードの場合も含め、否とされると、年齢がクリアしているか否かの判定の前段階でＮＧ判定とされる。
【００２４】
また、前記した読み取り装置５にあっては、住基カードあるいは運転免許証以外の第三のカードも使用可能とする。図３として示す処理フローにあって、使用される第三のカードはＲＦＩＤ方式のものとして少なくとも年齢情報を書き込んだ二次元コードを併用するものとなり、運転免許証、住基カード、鉄道交通カード、銀行カード等を共通して使用できる。主として波長帯域のバンド幅以内で受発信かつ電力発生できるタイプとする。
【００２５】
この第三のカードは書き換えを可能とするタイプと、書き換え不能のリードオンリータイプの二種類を用意する。このうち、書き換え可能タイプとしたカードは、例えばスキーリフト券のように期間変更、延長、短縮、ホテルや旅館等の宿泊施設との提携処理、会計処理やクリアリング処理等を幅広く出来るものとする。一方、書き換えを不能としたリードオンリータイプのカードは入場、退出券等のような限定処理のものとする。
【００２６】
この第三のカードに対応する読み取り装置５は、前記した対応可能バンド域内にあって広範囲に動作するカードリーダー／ライターを用いる。このカードリーダー／ライターは運転免許証、住基カード、そして第三のカードに対応して処理可能となる。
【００２７】
この第三のカードが挿入された場合、第一に処理を行なうことが可能か否かのチェック判定がなされる。ここで、処理不可能、判定自体が不可能となるとＮＧとなりカードは排出される。処理可能と判定された場合には、前記したカード処理のフローに従って、処理が進行していく。
【００２８】
このカードは各種のコード、数値文字情報、図形情報等を保有し、カードの種類に応じて物理的に予め定められた所定の位置から情報を取り出すことが可能としてある。運転免許証がカードとして検出された場合、所定の位置に記載された目視可能な年齢情報を導き出すことが出来る。
【００２９】
住基カードが検出された時は、所定の情報、例えば生年月日その他必要な情報を得、第三のカードが検出された場合は、生年月日、あるいは年齢、入場や期間情報、その他の情報処理の用途に対応する。その他の情報としては前述したように書き換え可能な入場券情報と処理結果、クリアリング情報等とし、書き換え不可能カードの場合は入退場券や会員証的な用途に対応する。前記ファイル可能内容は日本語処理を可能とする形式を有するものとする。
【産業上の利用可能性】
【００３０】
本発明に係る年齢の識別認識システムは上記のように構成されている。実施例ではタバコの自動販売機を対象としているが、これにこだわらず、他の年齢規制のある商品の自動販売機にも応用でき、公営ギャンブルの投票券の自動販売機での規制や年齢制限のある施設への入場規制等に幅広く応用実施することが出来る。加えて、各種の鍵としたり、駐車場で本人確認のため利用し、料金計算や盗難防止することも可能である。
【図面の簡単な説明】
【００３１】
【図１】年齢識別部のブロック図である。
【図２】本発明に係るシステムの作動手順を示すフローチャート図である。
【符号の説明】
【００３２】
５    カード読み取り装置
６    ＣＰＵ部
７    カード搬送部
８    光学センサー部
９    表示部
１０  イメージセンサー部
１１  ＲＦＩＤ読み取り部
１２  ブザー
【図１】
2010123089.tif 000003
【図２】
2010123089.tif 000004